(57)【要約】【課題】  マジックテープ（登録商標）のような面ファスナーを使用せずに、装着感がよく、洗濯多回数タイプのオムツに適するオムツ及びオムツカバーを提供すること。【解決手段】  オムツカバーの前身頃と後身頃とを左右それぞれ１箇所以上で接続具１１にて固定することで、体に装着することができるオムツカバーにおいて、前記接続具１１が、バックル１１１とベルト１１２の組み合わせであって、かつ前記ベルトの素材が平ゴムであるオムツカバーとする。  また前記オムツカバーを用い、股下マチ部を立体形状にした一体型のオムツとする。【選択図】図１
2007014743.tif 000002
【特許請求の範囲】
【請求項１】
オムツカバーの前身頃と後身頃とを左右それぞれ１箇所以上で接続具にて固定することで、体に装着することができるオムツカバーにおいて、
前記接続具が、バックルとベルトの組み合わせであって、かつ前記ベルトの素材が平ゴムであることを特徴とするオムツカバー。
【請求項２】
前記バックルが、それぞれベルト取り付け部を有する雄バックルと雌バックルとからなり、前記いずれかのベルト取り付け部が、ベルト長さ調整手段を有するものである合成樹脂製のバックルであって、
前記雄バックルは、ベルト幅方向に延び、前記ベルト取り付け部が固定されている基杆と、該基杆の両端から前記ベルト取り付け部と反対方向に伸びる二本の側杆と、該二本の側杆の反対側の端を結ぶ前方杆と、該前方杆の側面に接続され、前記基杆方向に向かって延びる係止板とを有し、
前記係止板は、前記前方杆から前記基杆方向に向かって縦方向幅を太くさせ、かつ前記係止板底面は、前記前方杆から前記基杆方向に向かって上方に傾斜させることで、前記前方杆と接続している反対側の側面を係止端面として形成したものであり、
前記雌バックルは、上部に透穴と、前記ベルト取り付け部と反対方向に差込孔とを有する箱形状のものであり、前記透穴と差込孔とによって、該箱型の一辺が、引っ掛け杆として形成されているものであり、
前記雄バックルと雌バックルは、前記差込孔から前記前方杆及び前記係止板を挿入し、前記係止端面が、前記引っ掛け杆にひっかかることによって固定され、
前記透孔を通して前記係止板を押圧することにより、該固定が外れるバックルである
請求項１記載のオムツカバー。
【請求項３】
前記オムツカバーの前身頃上部にメッシュの切替え部分を有し、当該メッシュ部分の外側に、上方縁が前身頃上縁に縫い付けられ、両側縁が前身頃の両方の脇縫い目に縫い付けられ、下方縁を開口縁とするヨークを有する請求項１記載のオムツカバー。
【請求項４】
前記オムツカバーの前記ヨークの内側に、メッシュの収納ポケットを有する請求項３記載のオムツカバー。
【請求項５】
前記オムツカバーの股下マチ部の形状が、マチ部中心線が頂部となる外側に凸状の立体形状立体形状である請求項１記載のオムツカバー。
【請求項６】
請求項１〜５いずれかの項に記載されたオムツカバーと中パットからなるオムツであって、
前記中パットの股部マチ形状が、マチ部中心線が頂部となる外側に凸状の立体形状であり、かつ前記オムツカバーと前記中パットがドットボタンにて固定されているオムツ。
【請求項７】
請求項１〜５いずれかの項に記載されたオムツカバー、中パット及び便取り袋からなるオムツであって、
前記オムツカバーの股下マチ部の形状、前記中パットの股部マチ形状および便取り袋の股部マチ形状が、いずれもマチ部中心線が頂部となる外側に凸状の立体形状であり、
前記オムツカバーと前記中パットがドットボタンにて固定されており、
前記中パットは、該中パット中心に近い側の縁が開口縁である便取り袋保持ヨークを２箇所以上有し、
前記便取り袋の両端部が、前記中パットの前記便取り袋保持ヨークに収納されて保持されているオムツ。
【請求項８】
前記オムツカバー及び前記中パットの裏生地が、裏押え生地とメッシュ生地とで中綿を挟み込んで縫製されている三層構造の生地である請求項６または７記載のオムツ。
【発明の詳細な説明】
【技術分野】
【０００１】
本発明は、オムツカバー及び使い捨てではないオムツに関し、更に詳細には、特にオムツカバーの前身頃と後身頃の接続具に関する。
【背景技術】
【０００２】
従来、主流のオムツは、使い捨てタイプのものである。一方、レンタルオムツ等を含む、使い捨てではない洗濯多回数タイプのオムツは、オムツに対する個々の要求を総合的に解決する改良がされていないのが実情である。
【０００３】
また、従来品のオムツは、尿漏れ防止対策として、ウエスト及び両股部をゴムで身頃を絞っている。しかしながらウエスト部と、両股部の身頃をゴムで絞り、ダーツを寄せると、その部分だけが体型より小さい為に、装着時に、オムツが不安定で装着がやりにくい。加えて、ダーツ部分の大きさに身頃が合わされて製作されているので、オムツ全体が大きく膨らみ大型となってしまっている。このことは、寝たきり老人や、重病人の場合は、一般的に一回の作業工程で装着は困難で、一人の作業者が取替えたり装着する場合は、装着される人体を先ず半身、横にしてオムツの半分を敷きこみ、その後、更に反対側に半身、人体を横にして１枚のオムツを装着するという、大変な作業の原因を生み出している。
【０００４】
また多くの従来のオムツは、前身頃と後身頃の接続には、マジックテープ（登録商標）のような面ファスナーを用いているものが多い（例えば、特許文献１）。このような面ファスナーの仕様は、極めて作業性が良く、便利なものであるが、次のような欠点をも有する。即ち、多回数洗濯型オムツでは、糸屑、生地繊維屑、その他の異物が、面ファスナーに付着して、洗濯後の仕上げ整理作業に多大の除去手間を要している。また、面ファスナー自体が人体の肌を刺激する性質を有するものなので、オムツの使用部位が限定され、よりデザイン的、機能的、運動的なオムツ開発の妨げとなっている。
【特許文献１】特開平８−２１５２２９号公報
【０００５】
加えて、上記のような構成のオムツにて、サイズ調整可能な用途とするならば、接続部位である面ファスナー部位にて調整を行うことになるが、この場合、面ファスナー部位の面積が広くなってしまう。このため身頃を硬くして風合いが悪くなり、装着時の違和感の要因となる。この問題は、フリーサイズ用途とした場合に特に顕著になるので、販売者は、体型に合わせた複数のサイズを用意せざるを得なかった。
【０００６】
更に、従来の回数型オムツにおいては、オムツカバーと中パットに機能上の共通性が無く、一体化されていないため、装着時に違和感を与えるものであった。
【０００７】
面ファスナーを用いないオムツとして、特許文献２では吸収ユニットに腰ベルトを設けたオムツが提案されている。しかし、かかるオムツは、まず腰全体にベルトを巻く必要があるため、装着が容易とはいい難い。
【特許文献２】特表２００１−５１３６７０号公報
【発明の開示】
【発明が解決しようとする課題】
【０００８】
上記を鑑みて本発明が解決しようとする問題は、上記のような欠点のある面ファスナーを使用せずに、装着感がよく、洗濯多回数タイプのオムツに適するオムツ及びオムツカバーを提供することにある。
【課題を解決するための手段】
【０００９】
本発明では、オムツカバーの前身頃と後身頃との接続具が、バックルとベルトの組み合わせであって、前記ベルトの素材が平ゴムであることを最も主要な特徴とする。
【００１０】
更に、本発明では、前記バックルが、それぞれベルト取り付け部を有する雄バックルと雌バックルとからなり、前記いずれかのベルト取り付け部が、ベルト長さ調整手段を有するものである合成樹脂製のバックルであって、前記雄バックルは、ベルト幅方向に延び、前記ベルト取り付け部が固定されている基杆と、該基杆の両端から前記ベルト取り付け部と反対方向に伸びる二本の側杆と、該二本の側杆の反対側の端を結ぶ前方杆と、該前方杆の側面に接続され、前記基杆方向に向かって延びる係止板とを有し、前記係止板は、前記前方杆から前記基杆方向に向かって縦方向幅を太くさせ、かつ前記係止板底面は、前記前方杆から前記基杆方向に向かって上方に傾斜させることで、前記前方杆と接続している反対側の側面を係止端面として形成したものであり、前記雌バックルは、上部に透穴と、前記ベルト取り付け部と反対方向に差込孔とを有する箱形状のものであり、前記透穴と差込孔とによって、該箱型の一辺が、引っ掛け杆として形成されているものであり、前記雄バックルと雌バックルは、前記差込孔から前記前方杆及び前記係止板を挿入し、前記係止端面が、前記引っ掛け杆にひっかかることによって固定され、前記透孔を通して前記係止板を押圧することにより、該固定が外れるバックルとすることで、前記特徴と相まって、主要な特徴とすることができる。
【００１１】
また更にオムツカバーの形状が体の曲線に沿うように、マチ部中心線が頂部となる外側に凸状の立体形状にすることで、前記特徴と相まって主要な特徴とすることができる。
【００１２】
更に本発明のオムツでは、オムツカバー、中パット及び便取り袋それぞれの股下位置の形状を同一の立体形状とし、かつオムツカバーと中パットをドットボタンで固定し、便取り袋の両端を中パットの便取り袋保持ヨークに収納して便取り袋を中パットに保持することで、オムツ全体を一体化するという特徴により、上記最も主要な特徴を生かすことのできるオムツとすることができる。
【発明の効果】
【００１３】
本発明のオムツまたはオムツカバーによれば、オムツカバーの前身頃と後身頃の接続部位を広く取る必要がないので、オムツのデザインを小型化すると共にシンプルにすることができる。且つ、両身頃の両脇の型紙の幅と丈を変更することで、１サイズのオムツでＳ、Ｍ寸或いはＬ,ＬＬ寸、或いは３Ｌ,４Ｌ寸の２サイズの体型に対応することができる。更にオムツカバーの基本形状をより体にフィットする立体形状とすることで、面ファスナーを用いたオムツまたはオムツカバーでは難しかったフリーサイズタイプのオムツへの対応も可能となる。
【００１４】
加えて洗濯後の仕上げ整理作業が容易である。すなわち、面ファスナーを用いた場合と異なり、接続具に付着した糸屑、生地繊維屑、他の付着異物を取除く作業が不要である。
【００１５】
加えてベルトの材料として平ゴムを用いたことで、サイズ調整を行っても使用する人に違和感の少ない緊張度で、装着できるものとなっている。
【００１６】
更にウエスト部分、両股部分にゴムで身頃を引寄せた、いわゆるダーツの部分を設ける必要がなくなり、装着容易であると共にデザイン的にもスリムである。
【００１７】
また、バックルを、雄バックルと雌バックルとからなる上記発明のバックルにした場合、固定されたバックルは、係止板を押圧するだけで、ワンタッチで解除できるので、オムツの着脱が更に容易になる。この場合、着脱の容易さは面テープを用いたオツムに匹敵するか、それ以上のものとなる。一方、係止板を押圧するか、ベルト長さ調整でベルトを緩める他は、ベルトが外れることがないので、装着したオムツが不意に外れることはほとんどない。
【００１８】
またオムツカバーをマチ部中心線が最も高くなる外側凸状に立体化した場合、装着時の圧迫違和感、また排尿部に肌が密着する不快感が減少するとともに、立体部分に空間を有するので、この部分の中綿を厚くして、或いは予備の中綿を詰めて、排尿の蓄尿量をより増大させることができる。また、かかる立体化によるコンパクトで異形しない特徴と、前記バックルと平ゴムベルトの組み合わせという特徴とが相まって、寝た状態の人体に装着する場合でも、人体の腰の部分を少し持ち上げることにより、尻部にオムツを一人で敷き入れることができる。自己装着できるオムツ使用人であれば、本発明のオムツはひとりで容易に装着できる。
【００１９】
本発明のオムツカバーについて、前記オムツカバーの前身頃上部にメッシュの切替え部分を有し、当該メッシュ部分の外側に、上方縁が前身頃上縁に縫い付けられ、両側縁が前身頃の両方の脇縫い目に縫い付けられ、下方縁を開口縁とするヨークを有する場合には、オムツ内側との通気が可能で、オムツ内のムレを減少する仕様とすることができるとともに、デザイン的に更に優れたものとすることができる。加えてフラップ裏にメッシュの収納ポケットを取付けると、当該ポケットに消臭紙（剤）や香料紙（剤）等を収納することができる。
【００２０】
上記オムツカバー、中パット、便取り袋の３点を上記方法でセットした本発明のオムツは、オムツカバーと中パット、或いはオムツカバーと中パットと便取り袋を、取り替えながら個々に装着する必要が無く、予め使用前に２点、或いは３点をセットして準備しておくことができる。
【発明を実施するための最良の形態】
【００２１】
以下、本発明の最良の形態について、図面を用いて更に説明する。
【００２２】
（オムツカバー）
本発明のオムツカバー１は、洗濯多回数タイプのオムツ用のカバーに適し、また特に介護用・老齢者用オムツのカバーとして好適なものであるが、幼児用のオムツカバー１にも適用できるものである。図１〜４は本発明のオムツカバー１の一様態（具体例）を示したものである。図１は正面概略図であり、図２は背面概略図である。
【００２３】
本発明のオムツカバーは、前身頃と後身頃を接続させるために、接続具１１として、バックル１１１と平ゴムを素材としたベルト１１２の組み合わせたものを用いる。ここで、平ゴムとは、一般に芯に糸ゴムを伸ばした状態で入れ、皮糸で組んだもののうち、平らな形状をしたゴムテープをいう。なかでもオペロンゴムを好適に用いることができる。
【００２４】
前記接続具１１は、オムツカバー１の左右を留めるように、少なくとも左右それぞれに１箇所ずつ設けるものである。オムツのフィット感や尿漏れ防止、オムツの脱落防止の点からは、図１,２のように、左右それぞれ複数設けることが好ましい。図１,２に示したような様態にすれば、サイズの調整は、前身両脇と後見両脇の間隔、或いは重ね代（しろ）で調整することができる。また、図１,２のように、前記バンド１１２の端に、布地でベルトキャップ１１３を設けると、洗濯によるバンドのホツレを防止できる。
【００２５】
オツム及びオムツカバーの装着をさらに容易にするために、本発明では、前記接続部１１のうち、バックル１１１を図１１Ａ（開放時の様態）．図１１Ｂ（固定時の様態）に示した様態とすることが更に好ましい。すなわち、バックル１１１が、それぞれベルト取り付け部を有する雄バックル７１と雌バックル７２とからなり、前記いずれかのベルト取り付け部７３が、ベルト長さ調整手段７３１を有するものである合成樹脂製のバックル１１１であって、
雄バックル７１は、ベルト幅方向に延び、ベルト取り付け部７３が固定されている基杆７１１と、該基杆７１１の両端からベルト取り付け部と反対方向（７３反対方向）に伸びる二本の側杆７１２と、該二本の側杆７１２の反対側の端を結ぶ前方杆７１３と、該前方杆７１３の側面に接続され、基杆方向（７１１方向）に向かって延びる係止板７１４とを有し、
係止板７１４は、前方杆７１３から基杆方向（７１１方向）に向かって縦方向幅を太くさせ、かつ係止板７１４底面は、前方杆７１３から前記基杆方向（７１１方向）に向かって上方に傾斜させることで、前方杆７１３と接続している反対側の側面を係止端面７１５として形成したものであり、
雌バックル７２は、上部に透穴７２１と、ベルト取り付け部と反対方向（７３反対方向）に差込孔７２２とを有する箱形状のものであり、透穴７２１と差込孔７２２とによって、該箱型の一辺が、引っ掛け杆７２３として形成されているものであり、
雄バックル７１と雌バックル７２は、雌バックル７２の差込孔７２２から雄バックル７１の前方杆７１３及び係止板７１４を挿入し、雄バックル７１の係止端面７１５が、雌バックル７２の引っ掛け杆７２３にひっかかることによって固定され、
雌バックル７２の透孔７２１を通して雄バックル７１の係止板７１４を押圧することにより、該固定が外れるバックルとすることが好ましい。
【００２６】
この際、不意にバックル１１１が外れることを更に防止するには、雄バックル７１と雌バックル７２を固定した際、係止端面７１５が、雌バックル７２の透穴７２１から突き出ないような高さ（縦方向幅）とすることが好ましい。すなわち、固定した際、係止端面７１５の上端は、引っ掛け杆７１３の上端よりも低い位置に存在して引っ掛かっていることが好ましい。
【００２７】
なお、本発明に用いるバックル１１１のベルト取り付け部７３の様態およびベルト長さ調整手段７３１の様態は、図１，図２，図１１Ａ，図１１Ｂに例示したような公知の手段を用いることができる。
【００２８】
バックル１１１を合成樹脂製にすることで、上記のような複雑な形状のバックルであっても容易に製造できる。また洗濯に対する耐久性も大きく、多数回使用を意図する本発明のオムツカバーの材料として好適である。さらに金属製バックルに比べ、装着者に対する高い安全性を確保できる。本発明では、一般的に使用されている合成樹脂であれば特に種類が制限されるものではないが、成形の容易さ等の観点から熱可塑性樹脂が好ましい。
【００２９】
本発明オムツカバー１に好適な表生地は、ポリエステルトリコット生地に比較的耐熱性のポリウレタンが高圧で塗装されたものである。防水効果と共に通気性も備えた生地だからである。またその風合いはトリコットとポリウレタンである為に、若干の伸縮性があり、柔らかく、装着心地を良くすることができる。ポリウレタンの着塗は３００kg/m2を基準とする高圧で圧着することでおこなうことができる。これにより洗濯強度を高めると共に、耐熱１５０℃−１６０℃（生地状態での試験）の高温で生地に損傷は無い。すなわち、蒸気による消毒殺菌の１２０℃の耐熱に対応した生地であるといえる。
【００３０】
一方、図３は本発明のオムツカバー１に好適に用いることができる裏生地２の説明図である。図３の裏生地２では、裏押え生地２１（外側）とメッシュ生地２３（肌あて側）にて中綿２２を挟み込んで縫製した三層構造の生地を示している。中綿２２は吸尿綿として用いるが、化繊との昆率８０%以上の木綿、綿、パルプ綿等の植物性綿を使用することが好ましい。吸尿率が高いばかりでなく、オムツ全体の材料の使用量では、中綿２２が最も多いことを鑑みると、環境への対応性が良いことも考慮されるべきだからである。
【００３１】
裏生地２は全て、肌に接する部分（肌あて側）にポリエステルのような吸水速乾性のメッシュ生地２３を使用し、中綿２２の裏側（外側）も裏押え生地２１で裏当てをして、更にキルト加工縫いを施すことができる。これにより中綿２２の洗濯バラケを止め洗濯強度にも対応している。
【００３２】
また、通気性向上のため、図４に示したように、前記オムツカバー１の前身頃上部にメッシュの切替え部分を設けて通気用メッシュ１６とし、更に当該通気用メッシュ１６を覆うようにヨーク１５（yoke：衣類の上部に入れる切り替え布）をフラップとして設けることもできる。前記前身頃のヨーク１５は、フラシヨーク（フラシ状のヨーク）とすることが好ましい。すなわちヨーク１５は、上方縁が前身頃上縁に縫い付けられ、両側縁が前身頃の両方の脇縫い目に縫い付けられ、下方縁を開口縁とするものである。更に当該ヨーク１５の裏側に、消臭紙などを収納できる収納ポケット１５１を設けることもできる。更に図１、２に示したように、オムツカバー１の両股部に、横漏れした尿を吸収する横漏れ防止ヘム１７を取付けることもできる。
【００３３】
本発明のオムツカバー１は、立体裁断してシンプルにパンツ化し、加えて特に排尿部の股下マチ部１３をマチ部中心線１３１が頂部となる外側に凸状の立体形状とすることができる。ここにいうマチ部中心線１３１とは、図1および図２に示したように、マチ部１３における縦方向の中心線である。更に、マチ部中心線１３１のうちでも、マチ部１３の中心、すなわち、オムツの底面部位が最も高い凸状の立体形状とすることが好ましい。これにより装着時の圧迫違和感、また排尿部に肌が密着する不快感を減少すると共に、立体部分に空間を有するので、この部分の中綿２２を厚くして、或いは予備の中綿２２を詰めて、排尿の蓄尿量をより増大させることが出来る。また、オムツ内のムレを減少するため、オムツカバー１の前身頃上部にメッシュの切替え部分を設けることもできる。
【００３４】
前記股下マチ部１３の立体構造を製造する方法としては、型紙形状による方法と金型プレスによる製造方法を挙げることができる。型紙形状による製造方法におけるオムツカバー１の主要な型紙３を図５に示した。一方、金型プレスによる製造方法は図６にその概要を示した。所望する立体マチの形状の凸金型４２１と対応する凹金型４２２を作り、予め生地表面に若干のナイロン系統の樹脂粉末を熱溶解させた成型材料を下側金型（凹金型）４２２に乗せ、上側金型（凸金型）４２１で蒸気を材料に当てながら図６中の圧力方向矢印４４のようにプレスすると、所望する形状の立体マチが出来る。この方法による特長は形が任意に決められるだけでなく、品質形状にバラツキがなく、また中綿２２の厚さが自由に決められるので、比較的機能性の高い立体マチを得ることができる。この際、固定支柱４３を中空柱状、すなわちパイプ状のものにすることが好ましい。成型後に該中空部位を通して瞬間的に空気吸引させることで、成型が安定するとともに乾燥が速くなるからである。
【００３５】
縫製部分は、股下マチ部１３を除き、全箇所二重縫いを施している。一方、二重縫いを施していない前記股下マチ部１３は防水の為のシームテープの目張りを施して一重縫いの強度不足を補っている。このことにより、オムツカバー１全体としての洗濯強度を向上することができる。また前記股下マチ部１３の中綿２２とメッシュ生地２３を中とじで結合することにより、洗濯時の立体の型崩れを防止できる。シームテープは縫い目上を４００℃以上の高温で瞬間圧着することで縫い目を目張りすることができる。
【００３６】
また、オムツカバー１の内側には、後述の中パット５を固定するためのドットボタン１２を設けることもできる。ドットボタン１２の位置は、中パット５固定という機能から、図１０に示したように、オムツカバー１に中パット５を固定させたときに、当該中パット５の四隅に相当する部位に設けることが好適である。
【００３７】
（オムツ）
本発明のオムツは、上記オムツカバー１に、中パット５、便取り袋６をセットとして組み合わせて一体化したものである。ただし、便取り袋６を省略し、上記オムツカバー１と中パット５をセットとして組み合わせたものとすることもできる。また、オムツカバー１の裏生地２を上記で説明した図３のような吸水速乾性のメッシュ生地２３をキルト加工した中綿２２用いたものとすることで、軽度の失禁の場合は、オムツカバー１のみでオムツの役割を果たすことができる。
【００３８】
（中パット）
前記中パット５は、吸尿パットとして使用される。中パット５の一様態の概略図を図７に示した。この中パット５は、ドットボタン５２で前記オムツカバー１に留めることで、オムツカバー１と一体化する。中パット５に用いられる生地は、図３に示したオムツカバー１と同様の生地を用いることができる。前記オムツカバー１の股下マチ部１３が立体形状を有しているとき、中パット５もその形状に合わせて股マチ部を立体形状にする必要がある。立体裁断には、オムツカバー１の股下マチ部１３の場合と同じく、型紙形状による方法と金型プレスによる製造方法を挙げることができる。型紙形状による製造方法における股部マチの型紙形状を図８に示した。なお、図７および図１０において、中パット５のドットボタン５２として示した円は、位置を示したものであり、実際にドットボタン５２として取り付ける際には、肌に接しない側の裏地に取り付けるので、肌を接する側の表面には表れない。着用者の違和感を与えないようにし、また褥創の発生を少なくするためである。
【００３９】
オムツとして便取り袋６を用いる場合には、便取り袋６の保持用に、該中パット中心に近い側の縁を開口縁とする便取り袋保持ヨーク５１を前後２箇所に取付けて、便取り袋６を保持安定させることができる。便取り袋保持ヨーク５１は、肌に触れる部分なので、メッシュ地のフラシヨークとすることが好ましい。
【００４０】
（便取り袋）
便取り袋６は、使用後、便と共に使い捨てできるものとすることができる。図９には本発明のオムツに用いる便取り袋６の一様態の概略図を示した。便取り袋６は、前記中パット５の便取り袋６保持用ヨークで中パット５股部付近に保持される。便取り袋６外周には、紐通し部６３を設け、この中に各々２つの環状の紐（紐Ａ６１１，紐B６１２）を通し、ひとつの切込み部６２から紐Ａ６１１が便取り袋６の外に現れるようにする。また前記切込み部と対称位置にもう１つの切込み部６２’を設け、もう一方の紐B６１２が便取り袋６の外に現れるようにする。図９に示したように、便取り袋６より出ている両方の紐（６１１，６１２）を同時に反対方向６４に引くことにより、便取り袋６は、口を作ると共に閉じるので、便の処理が容易となる。紐の材料には、天然性植物繊維を使うのが好ましい。便槽に捨てることができるようになるからである。紐の引き手位置は、図９の位置以外であってもよく、例えば両股の位置でも袋口を閉じることができる。
【００４１】
便取り袋６に用いる素材としては、不織布が好適である。不織布は一般的に面状にする前に、繊維を最も絡みやすい繊維長さに切断しているので、より面状になりやすく、かつ丈夫であるからである。本発明の便取り袋６の素材として、市販品の不織布を使用してもよいが、通常の不織布の繊維長さより更に短く切断した繊維をあまく絡ませた不織布とすることが更に好ましい。このような不織布を便取り袋６も使用することで、吸収した水分量に応じて繊維がバラけるので、水分吸収能力を増大させることができ、また後処理が容易になるからである。また、短繊維と長繊維を混合したものをあまく絡ませた不織布でも、同様の効果を得ることができるので好ましい。
【００４２】
（オムツのセット方法）
オムツカバー１、中パット５、便取り袋６の３点を使用したオムツのセット方法の概略を図１０に示した。中パット５は、オムツカバー１の内側に固定される。中パット５の固定には、ドットボタン（１２，５２）を用いることができる。ドットボタン（１２，５２）は、前身頃に２箇所、後身頃側に４箇所の設けることができる。中央の股下マチ部１３にはドットボタンが存在しないが、オムツカバー１の股下マチ部１３と中パット５の股部マチとを同一の立体形状とすれば、オムツカバー１に中パット５にすっぽりはまり、保持・固定される。
【００４３】
便取り袋６は、中パット５の内側に収納される。中パット５に便取り袋保持ヨーク５１を前身位置側と後身側の２箇所に設けると、収納された便取り袋６の両端は、中パット５の便取り袋保持ヨーク５１により押えられ、安定する。また、便取り袋６の中央部分は、中パット５と同一の立体形状とすることで、中パット５にすっぽりはまり保持される。
【００４４】
上記のような構成とすることで、使用に際しては、オムツカバー１、中パット５、便取り袋６のそれぞれを別個に体に取り付ける必要がなく、予めセットされた上記構成のオムツを体に取り付けるだけで足りる。
【産業上の利用可能性】
【００４５】
本発明のオムツ及びオムツカバーは、特に多数洗濯回用のオムツおよびオムツカバーとして利用できる。特に老齢用、介護用のオムツとして利用価値が高い。
【図面の簡単な説明】
【００４６】
【図１】本発明のオムツカバーの正面概略図である。
【図２】本発明のオムツカバーの背面概略図である。
【図３】本発明のオムツカバーに用いる生地の説明図である。
【図４】本発明のオムツカバーの前身フラップ裏の構造を示した概略図である。
【図５】オムツカバー製造のための主要型紙の概略図である。
【図６】オムツカバー股下マチ部の製造方法を示す説明図である。
【図７】本発明のオムツに用いる中パットの概略図である。
【図８】中パットの股部マチの製造に用いる立体型紙の概略図である。
【図９】本発明のオムツに用いる便取り袋の概略図である。
【図１０】本発明のオムツのセット方法を示す説明である。
【図１１Ａ】本発明に用いるバックルの好ましい様態（開放時）を示す概略図である。
【図１１Ｂ】本発明に用いるバックルの好ましい様態（固定時）を示す概略図である。
【符号の説明】
【００４７】
１          オムツカバー
１１          前身頃と後身頃の接続具
１１１          バックル
１１２          平ゴムベルト
１１３          ベルトキャップ
１１４          ベルト通し
１１５          ベルト縫付跡
１２            ドットボタン
１２１            ドットボタンヘッド，凹側
１２２            ドットボタンフット，凸側
１３          股下マチ部
１３１          マチ部中心線
１４          脚開口部
１５          ヨーク
１５１          収納ポケット
１６          通気用メッシュ
１７          横漏れ防止ヘム
２          オムツカバー生地、中パット生地
２１          裏押え生地
２２          中綿
２３          メッシュ生地
２４          ミシン針
２５          縫い跡
３          オムツカバー型紙
３１          前身用
３２          股部マチ用
３３          ヘム用
３４          後身用
４１          縫い合わせ部
４２          立体形状金型
４２１          凸金型
４２２          凹金型
４３          固定支柱
４４          圧力方向
４５          蒸気投入口
５          中パット
５１          便取り袋保持ヨーク
５２          ドットボタン
６          便取り袋
６１１        紐Ａ
６１２        紐B
６２，６２’  切り込み
６３          紐通し道
６４          使用後の紐引張方向
７１          雄バックル
７１１        基杆
７１２        側杆
７１３        前方杆
７１４        係止板
７１５        係止端面
７２          雌バックル
７２１        透穴
７２２        差込孔
７２３        引っ掛け杆
７３          ベルト取り付け部
７３１        ベルト長さ調整手段
【図１】
2007014743.tif 000003
【図２】
2007014743.tif 000004
【図３】
2007014743.tif 000005
【図４】
2007014743.tif 000006
【図５】
2007014743.tif 000007
【図６】
2007014743.tif 000008
【図７】
2007014743.tif 000009
【図８】
2007014743.tif 000010
【図９】
2007014743.tif 000011
【図１０】
2007014743.tif 000012
【図１１Ａ】
2007014743.tif 000013
【図１１Ｂ】
2007014743.tif 000014